【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【特許請求の範囲】
【請求項１】  遊技領域に各種入賞装置及び始動口を備えた遊技盤上の前記始動口への遊技球の入賞に基づいて、前記各種入賞装置のうちの役物入賞装置に備えられた可動片を駆動し、該役物入賞装置内に入賞した該遊技球がさらに特定入賞口に入賞すると特定遊技状態が発生して該特定遊技状態を演出するパチンコ遊技機において、
前記遊技領域内に向けて前記遊技球を発射する遊技球発射手段を制御する発射制御部と、
前記各種入賞装置への前記遊技球の入賞に基づいて所定数の賞球を払い出す賞球払出手段を制御する賞球払出制御部と、
遊技に関連した種々の遊技状態に基づき前記パチンコ遊技機に設けられた表示灯の表示・非表示を行う表示手段を制御する表示制御部と、
前記種々の遊技状態に基づき音声を発生する音声出力手段を制御する音声制御部と、
前記発射制御部、前記賞球払出制御部、前記表示制御部及び前記音声制御部を統括的に制御して前記パチンコ遊技機を駆動し前記遊技状態を演出する主制御部と
を具備し、
前記主制御部は、前記始動口への入賞に基づき前記役物入賞装置に備えられた可動片の動きを制御する役物制御手段と、前記遊技盤に設けられた検出装置からの検出信号を受信し、この受信した検出信号に対応する制御コマンドを前記各制御部に送信するコマンド制御手段とを有すると共に、前記発射制御部、前記賞球払出制御部、前記表示制御部及び前記音声制御部とは独立した基板上に形成されている
ことを特徴とするパチンコ遊技機。
【請求項２】  前記発射制御部、前記賞球払出制御部、前記表示制御部、前記音声制御部及び前記主制御部は、それぞれ異なる基板上に形成され、それぞれ異なる枠体内に収容されて封止されたうえで前記パチンコ遊技機に取り付けられるものである
ことを特徴とする請求項１記載のパチンコ遊技機。
【請求項３】  前記主制御部は、前記発射制御部、前記賞球払出制御部、前記表示制御部及び前記音声制御部と異なる基板上に形成され、異なる枠体内に収容されて封止されたうえで前記パチンコ遊技機の裏面側の前記発射制御部、前記賞球払出制御部、前記表示制御部及び前記音声制御部の取付位置よりも最も手前側に取り付けられるものである
ことを特徴とする請求項１又は２記載のパチンコ遊技機。
【手続補正２】
【補正対象書類名】明細書
【補正対象項目名】０００９
【補正方法】変更
【補正の内容】
【０００９】
【課題を解決するための手段】
この発明に係るパチンコ遊技機は、遊技領域に各種入賞装置及び始動口を備えた遊技盤上の前記始動口への遊技球の入賞に基づいて、前記各種入賞装置のうちの役物入賞装置に備えられた可動片を駆動し、該役物入賞装置内に入賞した該遊技球がさらに特定入賞口に入賞すると特定遊技状態が発生して該特定遊技状態を演出するパチンコ遊技機において、前記遊技領域内に向けて前記遊技球を発射する遊技球発射手段を制御する発射制御部と、前記各種入賞装置への前記遊技球の入賞に基づいて所定数の賞球を払い出す賞球払出手段を制御する賞球払出制御部と、遊技に関連した種々の遊技状態に基づき前記パチンコ遊技機に設けられた表示灯の表示・非表示を行う表示手段を制御する表示制御部と、前記種々の遊技状態に基づき音声を発生する音声出力手段を制御する音声制御部と、前記発射制御部、前記賞球払出制御部、前記表示制御部及び前記音声制御部を統括的に制御して前記パチンコ遊技機を駆動し前記遊技状態を演出する主制御部とを具備し、前記主制御部は、前記始動口への入賞に基づき前記役物入賞装置に備えられた可動片の動きを制御する役物制御手段と、前記遊技盤に設けられた検出装置からの検出信号を受信し、この受信した検出信号に対応する制御コマンドを前記各制御部に送信するコマンド制御手段とを有すると共に、前記発射制御部、前記賞球払出制御部、前記表示制御部及び前記音声制御部とは独立した基板上に形成されていることを特徴とする。
【手続補正３】
【補正対象書類名】明細書
【補正対象項目名】００１０
【補正方法】変更
【補正の内容】
【００１０】
この発明によれば、遊技領域に各種入賞装置及び始動口を備えた遊技盤上の始動口への遊技球の入賞に基づいて、各種入賞装置のうちの役物入賞装置に備えられた可動片を駆動し、役物入賞装置内に入賞した遊技球がさらに特定入賞口に入賞すると特定遊技状態が発生してこの特定遊技状態を演出するパチンコ遊技機において、遊技球発射制御手段を制御する発射制御部と、賞球払出手段を制御する賞球払出制御部と、表示手段を制御する表示制御部と、音声出力手段を制御する音声制御部と、これら各制御部を統括的に制御してパチンコ遊技機を駆動し遊技状態を演出する主制御部とを備え、主制御部が、役物入賞装置に備えられた可動片の動きを制御する役物制御手段と、制御コマンドを主制御部を除く各制御部に送信するコマンド制御手段とを有すると共に、これら各制御部とは独立した基板上に形成されているパチンコ遊技機を実現している。これにより、パチンコ遊技機を検査する際に各制御部を独立して検査することができ、検査作業の短縮化、容易化が可能となる。また、実際にパチンコ遊技機を駆動するには、主制御部から各制御部に対して様々なタイミングで制御コマンドを送信することとなるため、いわゆる不正目的でプログラムを改竄しようとしても全てのプログラムを解析しなければならず、不正を行い難くすることができる。更に、パチンコ遊技機を駆動する際の主制御部の負担が軽減するため、複雑高度化した遊技状態を容易に演出することが可能となる。また、主制御部と各制御部をそれぞれ別々の制御基板に搭載し、各制御部がぞれぞれ単一の制御（例えば、表示制御回路は表示制御のみ）を独立して実施するため、基板自体の設計が容易となり、開発コストの削減や開発時間の短縮を図ることが可能となる。
【手続補正４】
【補正対象書類名】明細書
【補正対象項目名】００３８
【補正方法】変更
【補正の内容】
【００３８】
表示制御装置１０８は、各ランプやＬＥＤの表示・非表示を制御する表示制御回路１０３と、始動口ＬＥＤ３６、左右照明ランプ３７，３８、センターＬＥＤ３９、左右サイドＬＥＤ４４，４５、左右サイドランプ４６，４７及び左右風車ランプ４８，５０等の盤用ランプに表示制御回路１０３からの信号を中継するための盤用ランプ中継基板１２２と、錠側ランプ１４、賞球ランプ１５、上枠ランプ１６及び左右前板ランプ１８，１９等の枠用ランプに表示制御回路１０３からの信号を中継するための枠用ランプ中継基板１２３と、上記各種ランプとからなる。表示制御回路１０３には、サブＣＰＵ１２４とＲＯＭ１２５とが備えられ、主制御回路１０４のＣＰＵ１１２からの表示制御コマンドに基づきサブＣＰＵ１２４がＲＯＭ１２５から表示制御データを読み出し独立して上記各種ランプの点灯状態（消灯、点灯、点滅等の状態）を適宜切り換える等の制御を行い、遊技の進行に応じたランプによる遊技状態の演出を行う。
【手続補正５】
【補正対象書類名】明細書
【補正対象項目名】００４６
【補正方法】変更
【補正の内容】
【００４６】
【発明の効果】
【発明の効果】
以上述べたように、この発明によれば、遊技領域に各種入賞装置及び始動口を備えた遊技盤上の始動口への遊技球の入賞に基づいて、各種入賞装置のうちの役物入賞装置に備えられた可動片を駆動し、役物入賞装置内に入賞した遊技球がさらに特定入賞口に入賞すると特定遊技状態が発生してこの特定遊技状態を演出するパチンコ遊技機において、遊技球発射制御手段を制御する発射制御部と、賞球払出手段を制御する賞球払出制御部と、表示手段を制御する表示制御部と、音声出力手段を制御する音声制御部と、これら各制御部を統括的に制御してパチンコ遊技機を駆動し遊技状態を演出する主制御部とを備え、主制御部が、役物入賞装置に備えられた可動片の動きを制御する役物制御手段と、制御コマンドを主制御部を除く各制御部に送信するコマンド制御手段とを有すると共に、これら各制御部とは独立した基板上に形成されているパチンコ遊技機を実現している。これにより、パチンコ遊技機を検査する際に各制御部を独立して検査することができ、検査作業の短縮化、容易化が可能となる。また、実際にパチンコ遊技機を駆動するには、主制御部から各制御部に対して様々なタイミングで制御コマンドを送信することとなるため、いわゆる不正目的でプログラムを改竄しようとしても全てのプログラムを解析しなければならず、不正を行い難くすることができる。更に、パチンコ遊技機を駆動する際の主制御部の負担が軽減するため、複雑高度化した遊技状態を容易に演出することが可能となる。また、主制御部と各制御部をそれぞれ別々の制御基板に搭載し、各制御部がぞれぞれ単一の制御（例えば、表示制御回路は表示制御のみ）を独立して実施するため、基板自体の設計が容易となり、開発コストの削減や開発時間の短縮を図ることが可能となるという効果を奏する。